(57)【要約】【課題】冷房運転時における熱交換の効率を低下することなく、暖房運転時に圧縮機の駆動の効率を上昇する。【解決手段】ガスエンジン駆動式の圧縮機１６を機械室６３に有し、熱交換室６０には室外熱交換器１９ａ，１９ｂ、室外ファン２０ａ，２０ｂ及びガスエンジン３０の冷却水が循環するラジエータ５０ａ，５０ｂを備えた空気調和装置１において、室外ファン２０ａ，２０ｂを正逆回転可能に構成すると共に、冷房運転時には、室外ファン２０ａ，２０ｂによって室外熱交換器１９ａ，１９ｂ、ラジエータ５０ａ，５０ｂの順に空気が流れ、暖房運転時には、室外ファン２０ａ，２０ｂを冷房運転時と逆回転させて、ラジエータ５０ａ，５０ｂ、室外熱交換器１９ａ，１９ｂの順に空気が流れるように構成した。【選択図】図３
2009236436.tif 000002
【特許請求の範囲】
【請求項１】
ガスエンジン駆動式の圧縮機を機械室に有し、熱交換室には室外熱交換器、室外ファン及びガスエンジンの冷却水が循環するラジエータを備えた空気調和装置において、
前記室外ファンを正逆回転可能に構成すると共に、
冷房運転時には、前記室外ファンによって前記室外熱交換器、前記ラジエータの順に空気が流れ、暖房運転時には、前記室外ファンを冷房運転時と逆回転させて、前記ラジエータ、前記室外熱交換器の順に空気が流れるように構成した
ことを特徴とする空気調和装置。
【請求項２】
前記機械室を筐体の下段に配置すると共に、当該筐体の上段に前記熱交換室を配置し、この熱交換室では、前記室外ファンの正逆回転によって流れる空気を横吸い込み、上吹き出し、或いは上吸い込み、横吹き出しに構成し、
前記筐体の側面には、横吹き出し時に吹き出し方向を変更する風向ガイドを設けたことを特徴とする請求項１に記載の空気調和装置。
【請求項３】
前記室外熱交換器の内側に前記ラジエータを配置したことを特徴とする請求項１または２に記載の空気調和装置。
【発明の詳細な説明】
【技術分野】
【０００１】
本発明は、ガスエンジン駆動式の圧縮機を有する空気調和装置に関する。
【背景技術】
【０００２】
従来、ガスエンジン駆動式の圧縮機を有する空気調和装置において、室外機に室外熱交換器と、ガスエンジンの冷却水用のラジエータとを設けると共に、これら室外熱交換器、及びラジエータに送風する室外ファンを設けた空気調和装置が知られている（例えば、特許文献１参照）。
【特許文献１】特開２００４−１１６９３１号公報
【発明の開示】
【発明が解決しようとする課題】
【０００３】
上述した空気調和装置では、室外熱交換器の風上側にラジエータを設けると、暖房運転時、すなわち、室外熱交換器が蒸発器として機能しているときに、ラジエータの放熱を室外熱交換器に与えることができ、室外熱交換器から圧縮機へ流入する冷媒の圧力を上昇でき、圧縮機の効率が向上する。
しかしながら、室外熱交換器の風上側にラジエータを設けた場合、冷房運転時に、室外ファンによってラジエータ、室外熱交換器の順に空気が流れることとなり、このため、冷却水、この冷却水より温度の低い冷媒の順に空気との熱交換が行われ、熱交換の効率の低下を招いてしまう。
【０００４】
本発明は、上述した事情に鑑みてなされたものであり、冷房運転時における熱交換の効率を低下することなく、暖房運転時に圧縮機の駆動の効率を上昇することができる空気調和装置を提供することを目的とする。
【課題を解決するための手段】
【０００５】
上記目的を達成するために、本発明は、ガスエンジン駆動式の圧縮機を機械室に有し、熱交換室には室外熱交換器、室外ファン及びガスエンジンの冷却水が循環するラジエータを備えた空気調和装置において、前記室外ファンを正逆回転可能に構成すると共に、冷房運転時には、前記室外ファンによって前記室外熱交換器、前記ラジエータの順に空気が流れ、暖房運転時には、前記室外ファンを冷房運転時と逆回転させて、前記ラジエータ、前記室外熱交換器の順に空気が流れるように構成したことを特徴とする。
【０００６】
ここで、上記発明の空気調和装置において、前記機械室を筐体の下段に配置すると共に、当該筐体の上段に前記熱交換室を配置し、この熱交換室では、前記室外ファンの正逆回転によって流れる空気を横吸い込み、上吹き出し、或いは上吸い込み、横吹き出しに構成し、前記筐体の側面には、横吹き出し時に吹き出し方向を変更する風向ガイドを設けるようにしてもよい。
【０００７】
また、上記発明の空気調和装置において、前記室外熱交換器の内側に前記ラジエータを配置するようにしてもよい。
【発明の効果】
【０００８】
本発明によれば、冷房運転時には、室外ファンによって室外熱交換器、ラジエータの順に空気が流れ、暖房運転時には、室外ファンによってラジエータ、室外熱交換器の順に空気が流れるため、冷房運転時における熱交換の効率を低下することなく、暖房運転時に圧縮機の駆動の効率を上昇することができる。
【発明を実施するための最良の形態】
【０００９】
以下、本発明の一実施形態を添付の図面を参照して説明する。
＜第１実施形態＞
図１は、本実施形態に係る空気調和装置１の冷媒回路図である。
この図１に示すように、空気調和装置１は、室外機１０と、室内機１１ａ，１１ｂとを備えており、これら室外機１０と室内機１１ａ，１１ｂが冷媒配管１２を介して接続されている。
【００１０】
室外機１０の冷媒配管１２には圧縮機１６が配設されている。この圧縮機１６は、Ｖベルトを介してガスエンジン３０により駆動されるものであり、吸込側にはアキュムレータ１７が、吐出側にはオイルセパレータ１７ａを介して四方弁１８がそれぞれ配設されている。この四方弁１８には、２台の室外熱交換器１９ａ，１９ｂ、室外膨張弁２４が順次配設されている。また、室外膨張弁２４をバイパスして冷媒系バイパス管２６が配設されており、この冷媒系バイパス管２６には、冷媒の逆流を防止する逆止弁２６ａが設けられている。室外熱交換器１９ａ，１９ｂに隣接して、この室外熱交換器１９ａ，１９ｂへ送風する室外ファン２０ａ，２０ｂが配置されている。符号２９は、圧縮機１６の吐出側の冷媒圧力を圧縮機１６の吸込側へ逃す安全弁である。符号５２、５３は、冷媒の流れを遮断する閉鎖弁である。
【００１１】
圧縮機１６を駆動するガスエンジン３０には、ガスエンジン３０に冷却水を循環させてガスエンジン３０の熱を回収するためのエンジン冷却装置４１が設けられており、このエンジン冷却装置４１には、冷却水が流れる冷却水配管４２に配管接続される電動クーラ三方弁４３が設けられている。
この電動クーラ三方弁４３の２つの出口の一方には、循環ポンプ４４と図示せぬ排ガス熱交換器とが順次配管接続されており、電動クーラ三方弁４３、循環ポンプ４４及び排ガス熱交換器をつなぐ配管経路によって、ガスエンジン３０を通過した冷却水をガスエンジン３０に戻す経路が形成されている。ここで、排ガス熱交換器は、ガスエンジン３０の排気ガスと冷却水との間で熱交換を行う熱交換器である。
【００１２】
また、電動クーラ三方弁４３の他の出口には、冷却水三方弁４８の入口が配管接続されている。この冷却水三方弁４８の一方の出口には、プレート式熱交換器４９の一端が配管接続され、また、冷却水三方弁４８の他方の出口には、ラジエータ５０ａ，５０ｂの一端が配管接続されている。ここで、プレート式熱交換器４９は、冷媒配管１２内の冷媒と冷却水配管４２内の冷却水との間で熱交換を行う熱交換器である。また、ラジエータ５０は、ラジエータ５０ａ，５０ｂを通過する冷却水を冷却させるものであり、室外ファン２０ａ，２０ｂによって送風される空気が供給されるように、この室外ファン２０ａ，２０ｂに隣接して配置されている。
【００１３】
また、室外機１０は、圧縮機１６の駆動の制御や、各弁の開閉状態の制御、室外ファン２０ａ，２０ｂの駆動の制御等、空気調和装置１の各部を制御する制御部２５を備えている。
【００１４】
一方、冷媒配管１２に対して２台の室内機１１ａ，１１ｂが並列に接続されている。室内機１１ａ，１１ｂは、それぞれ、室内膨張弁２７ａ，２７ｂと、室内熱交換器２８ａ，２８ｂとを備えている。この室内熱交換器２８ａ，２８ｂの近傍には、この室内熱交換器２８ａ，２８ｂに送風する室内ファン２３ａ，２３ｂが配置されており、この室内ファン２３ａ，２３ｂの送風によって室内熱交換器２８ａ，２８ｂにおける冷媒と空気との熱交換の効率が高められている。
【００１５】
図２は、室外機１０の正面図である。図３、及び、図４は、室外機１０の側面図である。なお、図３及び図４においては、後述する熱交換室６０を覆うパネルが取り外され、熱交換室６０の内部が見える状態となっている。また、図３及び図４において、図中左方向が、正面側であり、図中右方向が、裏面側である。
室外機１０は、図１〜図３に示すように、略直方体形状に形成され、室外機１０の外側部分を構成する筐体６１を備えている。この筐体６１は、筐体６１の高さ方向における略中央に設けられた水平方向に延びる中央横フレーム６２を備えており、この中央横フレーム６２には、水平方向に延びる仕切板（不図示）が固定されている。この仕切板によって、筐体６１の内部が上下段に仕切られており、下段に、上述した圧縮機１６が配置された機械室６３が形成されるとともに、上段に、熱交換室６０が形成されている。
【００１６】
この熱交換室６０は、室外熱交換器１９ａ，１９ｂにおいて冷媒と空気との間で熱交換を行うと共に、ラジエータ５０ａ，５０ｂにおいて冷却水の冷却を行うための部屋であり、上述した室外熱交換器１９ａ，１９ｂ、ラジエータ５０ａ，５０ｂ、室外ファン２０ａ，２０ｂが配置されている。
【００１７】
室外熱交換器１９ａは、図３及び図４に示すように、熱交換室６０の正面側に設けられており、この室外熱交換器１９ａの筐体６１における内側に、この室外熱交換器１９ａに隣接した状態でラジエータ５０ａが配置されている。そして、室外機１０の外部の空気がこれら室外熱交換器１９ａ及びラジエータ５０ａを介して熱交換室６０に流出入可能に構成されている。
また、室外熱交換器１９ｂは、図３及び図４に示すように、熱交換室６０の裏面側に設けられており、この室外熱交換器１９ｂの筐体６１における内側に、この室外熱交換器１９ｂに隣接した状態でラジエータ５０ｂが配置されている。そして、室外機１０の外部の空気がこれら室外熱交換器１９ｂ及びラジエータ５０ｂを介して熱交換室６０に流出入可能に構成されている。
室外熱交換器１９ａ，１９ｂには、機械室６３から延出した冷媒配管１２が接続され、この冷媒配管１２を介して冷媒が流入し、冷媒と空気との間で熱交換が行われる。また、ラジエータ５０ａ，５０ｂには、機械室６３から延出した冷却水配管４２が接続され、この冷却水配管４２を介して冷却水が流入し、冷却水と空気との間で熱交換が行われる。
【００１８】
室外ファン２０ａ，２０ｂは、室外熱交換器１９ａ，１９ｂ及びラジエータ５０ａ，５０ｂに送風するものであり、図３及び図４に示すように、熱交換室６０の天部６５に設けられている（図３及び図４では、室外ファン２０ａのみ図示）。室外ファン２０ａ，２０ｂは、図示せぬモータと、このモータの出力軸に設けられた羽根６６を供えている。
この室外ファン２０ａ，２０ｂの上部には、図２〜図４に示すように、通気孔６７ａ，６７ｂが形成されており（図３及び図４では、通気孔６７ａのみ図示）、この通気孔６７ａ，６７ｂを介して、室外ファン２０ａ，２０ｂの駆動に応じて熱交換室６０に空気が流入し、また、流出する構成となっている。
【００１９】
室外ファン２０ａ，２０ｂは、制御部２５の制御の下、正逆回転可能に構成されている。そして、正回転時と逆回転時とで、室外ファン２０ａ，２０ｂによって生じる空気の流れが、逆向きになるよう、室外ファン２０ａ，２０ｂの羽根６６が構成されている。
本実施形態に係る空気調和装置１では、冷房運転時には、制御部２５の制御の下、室外ファン２０ａ，２０ｂが正回転され、図３の矢印Ｙ３１に示すように、室外機１０の外部の空気が室外熱交換器１９ａ，１９ｂ及びラジエータ５０ａ，５０ｂを介して熱交換室６０に流入し、通気孔６７ａ，６７ｂを介して排出される構成となっている。
一方、暖房運転時には、制御部２５の制御の下、室外ファン２０ａ，２０ｂが逆回転され、図４の矢印Ｙ４１に示すように、室外機の外部の空気が通気孔６７ａ，６７ｂを介して熱交換室６０に流入した後、ラジエータ５０ａ，５０ｂ及び室外熱交換器１９ａ，１９ｂを介して排出される構成となっている。
このように、本実施形態では、冷房運転時か暖房運転時かによって、室外ファン２０ａ，２０ｂの回転方向を変更しているが、これによって以下の効果を奏することができる。
【００２０】
上述したように、冷房運転時、室外熱交換器１９ａ，１９ｂが凝縮器として機能するときは、制御部２５の制御の下、室外ファン２０ａ，２０ｂが正回転され、図３の矢印Ｙ３１に示すように、室外機１０の外部の空気が室外熱交換器１９ａ，１９ｂ及びラジエータ５０ａ，５０ｂを介して熱交換室６０に流入し、通気孔６７ａ，６７ｂを介して排出される。すなわち、空気が横吸込み、上吹き出しされる。このとき、外部から熱交換室６０に流入した空気は、室外熱交換器１９ａ，１９ｂ、そしてこの室外熱交換器１９ａ，１９ｂより内側に設けられたラジエータ５０ａ，５０ｂの順に流れることになる。このため、空気は、室外熱交換器１９ａ，１９ｂにおいて４５℃程度の冷媒を凝縮してから、ラジエータ５０ａ，５０ｂにおいて冷媒よりも温度の高い冷却水（８０℃程度）を冷却することとなり、効率のよい熱交換が行われる。ここで、冷房運転時に、ラジエータ５０ａ，５０ｂ、室外熱交換器１９ａ，１９ｂの順に空気が流れた場合、温度の高い冷却水、温度の低い冷媒の順に熱交換が行われることなり、効率的な熱交換が実現できないと共に、室外熱交換器１９ａ，１９ｂにおける冷媒の圧力が上昇し、冷房運転の運転能力の低下を招いてしまう。
【００２１】
一方、暖房運転時、室外熱交換器１９ａ，１９ｂが蒸発器として機能する時は、制御部２５の制御の下、室外ファン２０ａ，２０ｂが逆回転され、図４の矢印Ｙ４１に示すように、室外機の外部の空気が通気孔６７ａ，６７ｂを介して熱交換室６０に流入した後、ラジエータ５０ａ，５０ｂ及び室外熱交換器１９ａ，１９ｂを介して排出される。すなわち、空気が上吸い込み、横吹き出しされる。このとき、通気孔６７ａ，６７ｂを介して熱交換室６０に流入した空気は、ラジエータ５０ａ，５０ｂ、そしてこのラジエータ５０ａ，５０ｂよりも外側に設けられた室外熱交換器１９ａ，１９ｂの順に流れることになる。このため、ラジエータ５０ａ，５０ｂを通って冷却水の熱を吸収した空気を媒介として、ラジエータ５０ａ，５０ｂの放熱が蒸発器として機能する室外熱交換器１９ａ，１９ｂに与えられる。これにより、室外熱交換器１９ａ，１９ｂから圧縮機へ流入する冷媒の圧力を上昇することができ、圧縮機の駆動の効率を上昇することができる。
【００２２】
さらに、暖房運転時、室外熱交換器１９ａ，１９ｂが蒸発器として機能する時は、室外熱交換器１９ａ，１９ｂの表面に着霜することがある。特に、室外熱交換器１９ａ，１９ｂがフィンを備えるときにおいて、このフィンに着霜してしまった場合、フィンを流れる空気が阻害され、効率のよい熱交換が妨げられてしまう。しかしながら、本実施形態では、暖房運転時は、ラジエータ５０ａ，５０ｂ、室外熱交換器１９ａ，１９ｂの順に空気が流れ、ラジエータ５０ａ，５０ｂの放熱が室外熱交換器１９ａ，１９ｂに効率よく与えられることとなる。このときのラジエータ５０ａ，５０ｂの放熱により霜が溶けるため、室外熱交換器１９ａ，１９ｂに対する着霜を防止することができる。
【００２３】
ここで、暖房運転時は熱交換室６０において、図４の矢印Ｙ４１に示すように、上吸い込み、横吹き出しの状態で空気が流れることになる。この場合、熱交換室６０の正面及び裏面から略水平に空気が吹き出すことになるため、作業者等の室外機１０の前を通行する人間がいた場合、この人間に熱交換室６０から吹き出した空気が吹き付けられ、不快感を与えてしまう。これを防止するため、本実施形態に係る室外機１０は、熱交換室６０から吹き出される空気の方向を変更するための風向ガイド７０ａ，７０ｂを備えている。
【００２４】
この風向ガイド７０ａは、図２に示すように、室外熱交換器１９ａの前面側において、熱交換室６０の全域を覆うように設けられている。この風向ガイド７０ａは、図３及び図４に示すように、取付部材７１を介してねじ止めによって、室外機１０の室外熱交換器１９ａの前面側に取り付けられる。風向ガイド７０ａの図２における左右の側部には、開口７２が形成されており（図３及び図４を併せて参照。図３及び図４では、図２中右の側部の開口を図示。）、この左右の開口７２を貫通するように空洞７３が形成されている。これら開口７２及び空洞７３を介して、室外機１０の外部の空気が熱交換室６０に流入すると共に、熱交換室から吹き出された空気が外部へ放出される構成となっている。
また、風向ガイド７０ａの面のうち室外機１０側に形成された裏面には、熱交換室６０から吹き出される空気の方向を変更するための空気変更面７４が形成されており、この空気変更面７４によって、熱交換室から吹き出された空気の方向が変更される構成となっている。具体的には、図４に示すように、熱交換室６０から吹き出された空気は、風向ガイド７０ａの空気変更面７４に衝突してその方向が変更され、空洞及び開口を介して外部に吹き出される。その際、図２の矢印Ｙ２に示すように、風向ガイド７０ａから図２における左右へ向かって空気が吹き出されることとなる。従って、熱交換室６０から吹き出される空気が、室外機１０の前を通る人間に吹き付けられるということがない。
風向ガイド７０ｂは、室外熱交換器１９ｂの裏面側に設けられた部材であり、風向ガイド７０ａと同様の構成のため、その説明を省略する。
【００２５】
以上説明したように、本実施の形態では、室外ファン２０ａ，２０ｂが正逆回転可能に構成されると共に、冷房運転時には、この室外ファン２０ａ，２０ｂによって室外熱交換器１９ａ，１９ｂ、ラジエータ５０ａ，５０ｂの順に空気が流れ、暖房運転時には、室外ファン２０ａ，２０ｂを冷房運転時と逆回転させて、ラジエータ５０ａ、５０ｂ、室外熱交換器１９ａ，１９ｂの順に空気が流れるように構成されている。
これにより、冷房運転時は、外部から熱交換室６０に流入した空気は、室外熱交換器１９ａ，１９ｂ、そしてこの室外熱交換器１９ａ，１９ｂより内側に設けられたラジエータ５０ａ，５０ｂの順に流れることになる。このため、空気は、室外熱交換器１９ａ，１９ｂにおいて４５℃程度の冷媒を凝縮してから、ラジエータ５０ａ，５０ｂにおいて冷媒よりも温度の高い冷却水（８０℃程度）を冷却することとなり、効率のよい熱交換が行われる。
また、暖房運転時は、ラジエータ５０ａ，５０ｂを通って冷却水の熱を吸収した空気を媒介として、ラジエータ５０ａ，５０ｂの放熱が蒸発器として機能する室外熱交換器１９ａ，１９ｂに与えられる。これにより、室外熱交換器１９ａ，１９ｂから圧縮機へ流入する冷媒の圧力を上昇することができ、圧縮機の駆動の効率を上昇することができる。さらに、ラジエータ５０ａ，５０ｂの放熱により、室外熱交換器１９ａ，１９ｂに対する着霜を防止することができる。
【００２６】
また、本実施の形態では、機械室６３を筐体６１の下段に配置すると共に、筐体６１の上段に熱交換室６０を配置し、この熱交換室６０では、室外ファン２０ａ，２０ｂの正逆回転によって流れる空気を横吸い込み、上吹き出し、或いは上吸い込み、横吹き出しに構成し、筐体６１の側面には、横吹き出し時に機能する吹き出し方向の風向ガイド７０ａ，７０ｂを設けている。そして、この風向ガイド７０ａ，７０ｂによって、暖房運転時に、熱交換室６０から吹き出される空気が、作業者等の室外機１０の前を通る人間に吹き付けられることを防止することができる。
【００２７】
また、本実施の形態では、室外熱交換器１９ａ，１９ｂの内側にラジエータ５０ａ，５０ｂを配置している。このため、冷房運転時に、横吸い込み、上吹き出しの状態で効率よく室外熱交換器１９ａ，１９ｂにおける熱交換及びラジエータ５０ａ，５０ｂにおける熱交換を行うことができると共に、暖房運転時に、上吸い込み、横吹き出しの状態で、圧縮機の駆動効率を上昇することができる。
【００２８】
＜第２実施形態＞
図５は、本実施形態に係る室外機１０の側面図である。本実施形態に係る室外機１０は、ラジエータ５０ａ，５０ｂよりも筐体６１における内側に室外熱交換器１９ａ，１９ｂが設けられている点で、第１実施形態に係る室外機１０と構成を異にしている。
本実施形態では、冷房運転時、室外ファン２０ａ，２０ｂが逆回転され、図５の矢印Ｙ５１に示すように空気が流れる。具体的には、通気孔６７ａ，６７ｂを介して熱交換室６０に流入した空気は、室外熱交換器１９ａ，１９ｂ、そしてこの室外熱交換器１９ａ，１９ｂよりも外側に設けられたラジエータ５０ａ，５０ｂの順に流れることになる。このため、第１実施形態と同様、空気は、室外熱交換器１９ａ，１９ｂにおいて４５℃程度の冷媒を凝縮してから、ラジエータ５０ａ，５０ｂにおいて冷媒よりも温度の高い冷却水（８０℃程度）を冷却することとなり、効率のよい熱交換が行われる。
一方、暖房運転時、室外ファン２０ａ，２０ｂが正回転され、図５の矢印Ｙ５２に示すように空気が流れる。従って、外部から熱交換室６０に流入した空気が、ラジエータ５０ａ，５０ｂ、そしてこのラジエータ５０ａ，５０ｂより内側に設けられた室外熱交換器１９ａ，１９ｂの順に流れることになる。このため、ラジエータ５０ａ，５０ｂを通って冷却水の熱を吸収した空気を媒介として、ラジエータ５０ａ，５０ｂの放熱が蒸発器として機能する室外熱交換器１９ａ，１９ｂに与えられる。これにより、第１実施形態と同様、室外熱交換器１９ａ，１９ｂから圧縮機へ流入する冷媒の圧力を上昇することができ、圧縮機の駆動の効率を上昇することができる。また、第１実施形態と同様、室外熱交換器１９ａ，１９ｂの着霜を防止することができる。
【００２９】
＜第３実施形態＞
図６は、本実施形態に係る室外機１０の正面図であり、図７は、本実施形態に係る室外機１０の側面図である。本実施形態に係る室外機１０は、風向ガイド７０ａ，７０ｂの構成が第１実施形態に係る室外機１０と異なっている。具体的には、図６に示すように、風向ガイド７０ａの空洞７３の内部の正面視略中央に、風向ガイド７０ａの空洞７３を左右に仕切る仕切板８０が設けられている。さらに、図６及び図７に示すように、風向ガイド７０ａの空洞７３の内部に、熱交換室６０から吹き出された空気を、図６における左上方向、及び、右上方向へ案内するための案内板８１が上下方向に間隔をあけて複数設けられている。この案内板８１は、風向ガイド７０ａの裏面に固定された板状の部材である。
このような構成のため、熱交換室６０から吹き出された空気は、仕切板８０によって図６における左右に分かれると共に、案内板８１によって右上方向及び左上方向に案内され、図６の矢印Ｙ６１に示すように、風向ガイド７０ａから右上方向及び左上方向に向かって吹き出される。従って、室外機１０の前を通る人間に空気が吹き付けられることを確実に防止できる。
なお、風向ガイド７０ｂについては、風向ガイド７０ａと略同一の構成のため、その説明を省略する。
【００３０】
＜第４実施形態＞
図８は、本実施形態に係る室外機１０の正面図であり、図９は、本実施形態に係る室外機１０の側面図である。本実施形態に係る室外機１０は、風向ガイド７０ａ，７０ｂの構成が第１実施形態に係る室外機１０と異なっている。具体的には、図８に示すように、風向ガイド７０ａの正面に、図８における左右方向に延在する通気孔８５が上下方向に間隔をあけて６つ形成されている。この通気孔８５は、図９に示すように、風向ガイド７０ａの通気孔８５に該当する部分が折り曲げられて形成されている。そして、折り曲げられた部分に形成された案内部材８６が、熱交換室６０から吹き出された空気を、図８の矢印Ｙ８１及び図９の矢印Ｙ９１に示すように、水平方向ではなく、斜め下方へ向かって吹き出す構成となっている。このため、室外機１０の前を通る人間に空気が吹き付けられることを防止できる。さらに、熱交換室６０から吹き出される空気は、斜め下方へ向かって吹き出されるため、この吹き出された空気が通気孔６７ａ，６７ｂを介して再び熱交換室６０に流入することを防止でき、空気の流れがいわゆるショートサーキット化することを防止できる。
【００３１】
以上、本発明を実施するための最良の形態について述べたが、本発明は既述の実施形態に限定されるものではなく、本発明の技術思想に基づいて各種の変形および変更が可能である。
上述した実施形態では、風向ガイド７０ａの３つの形状の例を説明したが、風向ガイド７０ａの形状はこれに限らない。例えば、第１実施形態の風向ガイド７０ａにおいて、左右の側面だけでなく、上面にも開口を設け、空気変更面７４によって方向が変更された空気が、風向ガイド７０ａの上方へ向かって吹き出されるように構成してもよい。すなわち、室外機１０の熱交換室６０から空気が水平に吹き出されることを防止できればよい。
【図面の簡単な説明】
【００３２】
【図１】第１実施形態に係る空気調和装置の回路図である。
【図２】室外機の正面図である。
【図３】室外機の側面図である。
【図４】室外機の側面図である。
【図５】第２実施形態に係る室外機の側面図である。
【図６】第３実施形態に係る室外機の正面図である。
【図７】室外機の側面図である。
【図８】第４実施形態に係る室外機の正面図である。
【図９】室外機の側面図である。
【符号の説明】
【００３３】
１  空気調和装置
１０  室外機
１６  圧縮機
１９ａ，１９ｂ  室外熱交換器
２０ａ，２０ｂ  室外ファン
３０  ガスエンジン
５０ａ，５０ｂ  ラジエータ
６０  熱交換室
６１  筐体
６３  機械室
７０ａ，７０ｂ  風向ガイド
【図１】
2009236436.tif 000003
【図２】
2009236436.tif 000004
【図３】
2009236436.tif 000005
【図４】
2009236436.tif 000006
【図５】
2009236436.tif 000007
【図６】
2009236436.tif 000008
【図７】
2009236436.tif 000009
【図８】
2009236436.tif 000010
【図９】
2009236436.tif 000011